(57)【特許請求の範囲】
【請求項１】
遊技領域に遊技球を打込んで行われる遊技により所定の払出条件が成立すると遊技球を
払出す遊技機であって、
前記遊技領域に設けられ、遊技領域に打込まれた遊技球が進入可能な役物と、
該役物内に設けられ、役物に進入した遊技球が入球可能な抽選入球口と、
該役物内に設けられ、役物に進入した遊技球が入球可能で前記役物外の遊技領域に連通する放出入球口と、
該抽選入球口への遊技球の入球タイミングに基づいて演算手段によって電気的に抽選を行う抽選手段と、
該抽選手段によって行われた抽選の結果が当選であると遊技者にとって通常よりも多く
の遊技球が獲得可能な特別遊技状態を発生させる特別遊技状態発生手段と、
前記抽選手段の抽選結果が当選であるか或いは落選であるかを表示する抽選結果表示手段と、
前記役物内に設けられたステージと、
を備え、
前記ステージは、
上面が遊技者から見て奥側に向かって下方に向かって傾斜する傾斜部と、遊技者から見て手前に向かって下方に傾斜する放出部を有し、前記役物に進入した遊技球が前記上面で左右に往復動しながら転動する転動部を含む予備ステージと、
遊技球を前記抽選入球口に搬送する抽選搬送部、及び、遊技球を前記放出入球口に搬送する放出搬送部を備える回転搬送装置を有し、遊技球を前記抽選入球口または前記放出入球口の何れかに振分ける振分ステージと、
を備え、
前記役物内において、前記予備ステージは遊技者から見て手前側に配置され、奥側に前記振分ステージが配置され、
前記予備ステージと前記振分ステージとの間は、透明な区画板で区画され、
前記区画板には、前記転動部の左右方向における中央の位置に、遊技球が前記転動部から前記振分ステージに向かって通過可能な開口部が設けられ、
前記区画板の前記開口部に前記回転搬送装置の前記抽選搬送部または前記放出搬送部が臨むタイミングと、遊技球が前記転動部の上面を往復運動して前記区画板の前記開口部を通過するタイミングとが一致したとき、前記遊技球は前記回転搬送装置に向かって前記開口部を通過し、
前記区画板の前記開口部に前記回転搬送装置の前記抽選搬送部または前記放出搬送部が臨むタイミングと、遊技球が前記転動部の上面を往復運動して前記区画板の前記開口部を通過するタイミングとが一致しないと、前記遊技球は前記開口部を通過できず、前記遊技球の勢いが弱まって前記転動部上を往復運動する振幅が小さくなると前記放出部から前記遊技球が落下する遊技機。
【請求項２】
前記振分ステージに到達した遊技球を同じ高さ以下の部位に搬送して前記抽選入球口または前記放出入球口の何れかに振分けることを特徴とする請求項１に記載の遊技機。
【発明の詳細な説明】
【技術分野】
【０００１】
本発明は、ぱちんこ遊技機（一般的に「パチンコ機」と称されることから、以下「パチンコ機」と称する）に代表される遊技機に関するものである。
【背景技術】
【０００２】
パチンコ機に代表される遊技機であり、遊技領域に遊技球を打込んで行われる遊技により所定の払出条件が成立すると遊技球を払出すようにした遊技機としては、種々のものがあるが、中には、遊技領域に設けられた抽選用の入球口（以下「抽選入球口」という）への遊技球の入球に基づいて抽選を行う抽選手段を備え、この抽選手段による抽選の結果が当選になると、遊技者にとって通常よりも多くの遊技球が獲得可能な特別な遊技状態（以下「特別遊技状態」という）を発生させるようにした遊技機がある。そして、この種の遊技機では、抽選手段によって行われた抽選の結果が当選であるか或いは落選であるかを、適宜の表示手段を用いて表示することが一般的に行なわれている。
【０００３】
ところで、従来の遊技機として、障害釘等に当って多様な動きをしつつ遊技領域内を流下する遊技球が偶発的に入球するように、抽選入球口が遊技領域の適宜部位に配置されており、この抽選入球口の上方に、適宜態様で動作する動作体を有する役物が設けられ、役物に進入した遊技球が、動作体によって抽選入球口に入球し易いルートに導かれるようにしたものがある（特許文献１参照）。
【０００４】
また、別のタイプの遊技機として、遊技領域の適宜部位に配置された役物が、遊技球の入球により遊技球の払出しを行う入賞装置として構成されており、この役物内に、入球により抽選を行う入賞口（以下「抽選入賞口」という）と、入球しても抽選を行わない単なる入賞口（以下「非抽選入賞口」という）とが設けられると共に、役物に入球した遊技球の最終的な入賞先を抽選入賞口または非抽選入賞口の何れかに振分ける振分装置が設けられたものもある（特許文献２参照）。
【０００５】
【特許文献１】特開２００３−２７５４０２号公報
【特許文献２】特開平０７−５１４５１号公報
【発明の開示】
【発明が解決しようとする課題】
【０００６】
特許文献１等に記載されているような遊技機は、役物に進入した遊技球が動作体によって抽選入球口に入球し易いルートに導かれる様子を遊技者に見せて楽しませることができるものである。
【０００７】
しかしながら、抽選入球口に入球し易いルートに導かれた遊技球については、抽選入球口に入球することが確定するわけでなく、抽選入球口の上方に設けられた障害釘に弾かれたり、抽選入球口へと向かう遊技球が他の遊技球に弾かれたりして、抽選入球口に入球しないことがある。
【０００８】
よって、この種の遊技機については、役物内での遊技球の挙動を遊技者に見せて楽しませることができても、抽選入球口に遊技球が確実に入球する安心感を与えることができず、この点で改良の余地があった。特に、「遊技球が抽選入球口に入球し易いルートにせっかく導かれたのに抽選入球口に入球しない」といった現象が頻繁に生じると、動作体によって遊技球の動きに変化を与える様子が、遊技者を楽しませるどころか、逆に、イライラ感を感じさせて遊技に対する情熱を興醒めさせてしまうことがある。従って、抽選入球口に遊技球が確実に入球する安心感を与えることは、遊技の興趣を向上させる上で、重要である。
【０００９】
一方、特許文献２等に記載されているような遊技機は、役物内にて遊技球の最終的な到達先が役物内の振分装置によって抽選入賞口か、或いは非抽選入賞口かに振分けられる様子を遊技者に見せて楽しませることができるものであり、また、抽選入賞口側に振分けられると、遊技球が抽選入賞口に入球することが確定することから、抽選入球口に遊技球が確実に入球する安心感を与えることができると共に、抽選が行われることについて、遊技者に心の準備をさせることができるものである。
【００１０】
しかしながら、この種の遊技機においては、役物自体が、入球により遊技球の払出しを行う入賞装置となっているため、遊技球が役物に頻繁に入球するようにすると、遊技者側にとっては有利となるが、遊技機が設置された遊技場の運営者側にとっては、不利となるため、遊技球が役物に入球し難いように設定せざるを得ない。
【００１１】
よって、この種の遊技機については、役物内での遊技球の挙動を遊技者に頻繁に見せて楽しませることができない点で、改良の余地があった。
【００１２】
本発明は、上記実状を鑑みてなされたものであり、抽選入球口に遊技球が確実に入球する安心感を与えることができ、しかも、役物に遊技球が入球し易いように設定しても遊技場の運営者側にとって不利になり難い遊技機の提供を課題とする。
【課題を解決するための手段】
【００１３】
＜手段１＞
遊技領域に遊技球を打込んで行われる遊技により所定の払出条件が成立すると遊技球を払出す遊技機であって、
前記遊技領域に設けられ、遊技領域に打込まれた遊技球が進入可能な役物と、
該役物内に設けられ、役物に進入した遊技球が入球可能な抽選入球口と、
該抽選入球口への遊技球の入球に基づいて抽選を行う抽選手段と、
該抽選手段によって行われた抽選の結果が当選であると遊技者にとって通常よりも多くの遊技球が獲得可能な特別遊技状態を発生させる特別遊技状態発生手段と、
前記抽選手段の抽選結果を表示する抽選結果表示手段と、
前記役物内に設けられたステージであり、遊技球を前記抽選入球口に搬送する搬送装置を有し、当該ステージに到達した遊技球を前記抽選入球口または役物外の遊技領域の何れかに振分ける振分ステージと
を備えることを特徴とする遊技機。
【００１４】
上記構成の遊技機では、役物の振分ステージにて遊技球の行方が振分けられる様子を遊技者に見せて楽しませることができるのであるが、振分ステージにて遊技球の行方が抽選入球口側に振分けられた場合には、遊技球が搬送装置によって搬送されて抽選入球口に確実に入球する。よって、遊技球が搬送装置によって抽選入球口へと搬送されている様子を見せることで、遊技者に、抽選入球口に遊技球が確実に入球する安心感を与えることができる。
【００１５】
また、振分ステージは、振分ステージに到達した遊技球の行方を、抽選入球口か、役物外の遊技領域かに振分けるものであり、役物に入球した遊技球のうち、抽選入球口側に振分けされなかった遊技球は、役物外の遊技領域に再び戻される。このため、上記構成の遊技機における役物では、入球した遊技球の全てが入賞とはならない。よって、役物に遊技球が入球し易いように設定しても遊技場の運営者側にとって不利になり難くすることができる。
【００１６】
なお、振分ステージについては、振分ステージに到達した遊技球の全てが搬送装置によって搬送されることとして、搬送装置によって遊技球の行方を抽選入球口か役物外の遊技領域かに振分けるものであってもよく、また、振分ステージに到達した遊技球のうち、搬送装置によって搬送された遊技球については、その行方を抽選入球口とする一方で、搬送装置によって搬送されなかった遊技球については、その行方を役物外の遊技領域とするように、遊技球の行方を振分けるものであってもよい。
【００１７】
また、上記構成は、種々の遊技機に適用することができるが、遊技機として、以下のような遊技機を代表的に例示することができる。
【００１８】
（１）遊技球を遊技領域に打込むことで遊技が行われ、遊技領域の入賞口に遊技球が入球すると払出し条件が成立したとして、所定個数の遊技球の払出しを行うパチンコ機。
【００１９】
（２）所定個数の遊技球を、複数の到達口を有する遊技領域に打込むことで１ゲームの遊技が行われ、遊技球が到達した到達口の組合わせが所定の組合わせになると払出し条件が成立したとして、所定個数の遊技球の払出しを行うパチンコ機。
【００２０】
また、遊技機としては、パチンコ機に代表される遊技機のように、遊技場に設置された実体を伴う遊技機に限らず、画像にて形成されたオンラインゲーム等の遊技機であってもよい。
【００２１】
また、抽選手段は、抽選入球口への遊技球の入球に基づいて抽選を行うものであればよく、具体的な抽選手法を限定するものではないが、以下のような抽選手段を代表的に例示することができる。
【００２２】
（１）抽選入球口への遊技球の入球タイミング等、適宜のタイミングに基づき、コンピュータによって電気的に抽選を行うもの。
【００２３】
（２）抽選入球口に遊技球が入球したことを契機として挙動する抽選体を用いて、この抽選体の挙動によって、機械的に抽選を行うもの。ここで、抽選体を、抽選入球口に入球した後に抽選領域内にて移動し、抽選領域での到達先によって抽選結果を導出する遊技球自体としてもよく、遊技球とは別の物体によって構成され、抽選入球口に遊技球が入球したことを契機として抽選領域内にて移動を開始し、抽選領域での到達先によって抽選結果を導出する物体としてもよく、抽選領域にて動作して停止し、停止パターンによって抽選結果を導出するダイス等の物体としてもよい。
【００２４】
また、特別遊技状態としては、遊技者にとって、通常よりも多くの遊技球を獲得可能な特別な遊技状態であればよく、以下のような遊技状態を例示することができる。
【００２５】
（１）入賞口への遊技球の入球に応じて遊技球の払出しを行うパチンコ機において、通常では閉塞されており遊技球が入球不能な或いは入球困難な特別な入賞口を開放作動させて、この特別な入賞口に遊技球が入球可能に或いは入球容易になるようにした遊技状態。
【００２６】
（２）入賞口への遊技球の入球に応じて遊技球の払出しを行うパチンコ機において、通常では遊技球が入球困難な態様で開閉作動する特別な入賞口を入球容易な態様で開閉作動させて、この特別な入賞口に遊技球が入球し易くなるようにした遊技状態。
【００２７】
（３）入賞口への遊技球の入球に応じて遊技球の払出しを行うパチンコ機において、通常では閉塞されており遊技球が入球不能な特別な入賞口について、開放させる権利を取得可能とした遊技状態。特別な入賞口を開放させる権利が設定されたパチンコ機は、特別遊技に関する抽選の結果が当選になることで自動的に権利を取得できるものではなく、上記抽選の結果が当選になった上で、この当選が有効中に、例えば所定の入球口に遊技球を入球させる等といった所定の権利取得条件を満たすことで権利を取得できるものである。そして、権利が取得されると、特別な入賞口の開放を許容する状態となり、この状態では、遊技者にとって通常よりも多くの遊技球が獲得可能となる。よって、特別な入賞口の開放を許容する状態が発生する前段階の状態である「権利を取得可能とした状態」も、遊技者にとって通常よりも多くの遊技球を獲得可能な特別な遊技状態として捉えることができる。なお、特別な入賞口については、権利が取得されることで自動的に開放作動するものであってもよく、権利が取得された上で、所定の入球口に遊技球を入球させる等といった所定の開放作動条件を満たすことで開放作動するものであってもよい。
【００２８】
（４）１ゲーム中に遊技球が到達した到達口の組合わせに応じて遊技球の払出しを行うパチンコ機において、通常では閉塞されており遊技球が到達不能な或いは到達し難い特別な到達口を開放させて、この特別な到達口に遊技球が到達可能に或いは到達し易くなるようにした遊技状態。
【００２９】
（５）１ゲーム中に遊技球が到達した到達口の組合わせに応じて遊技球の払出しを行うパチンコ機において、通常では閉塞されており遊技球が到達不能な特別な到達口について、開放させる権利を取得可能とした遊技状態。特別な到達口を開放させる権利が設定されたパチンコ機は、特別遊技に関する抽選の結果が当選になることで自動的に権利を取得できるものではなく、上記抽選の結果が当選になった上で、この当選が有効中に、例えば所定の入球口に遊技球を入球させる等といった所定の権利取得条件を満たすことで権利を取得できるものである。そして、権利が取得されると、特別な到達口の開放を許容する状態となり、この状態では、遊技者にとって通常よりも多くの遊技球が獲得可能となる。よって、特別な到達口の開放を許容する状態が発生する前段階の状態である「権利を取得可能とした状態」も、遊技者にとって通常よりも多くの遊技球を獲得可能な特別な遊技状態として捉えることができる。なお、特別な到達口については、権利が取得されることで自動的に開放作動するものであってもよく、権利が取得された上で、所定の入球口に遊技球を入球させる等といった所定の開放作動条件を満たすことで開放作動するものであってもよい。
【００３０】
また、抽選結果表示手段としては、「動画や映像等の画像を表示することのできる液晶表示装置、プラズマ表示装置、ＥＬ表示装置、ＣＲＴ等の画像表示装置」、「単純な文字、数字或いは記号等の図柄を表示することのできる７セグメント表示装置や、単純な文字、数字或いは記号等の図柄だけでなく、種々のキャラクタや物品を模した絵等の複雑な図柄を表示することもできるドットマトリックス表示装置等の絵図表示装置」、「図柄が描かれた表示物を動かして図柄を表示する可動表示装置」、「発光ダイオード、白熱球、蛍光管、ネオン管等の発光素子を用いた発光器（ランプ）」等、種々の表示装置を例示することができる。
【００３１】
＜手段２＞
手段１に記載の遊技機であって、
前記役物内に設けられ、役物に進入した遊技球が入球可能な放出入球口と、
該放出入球口に連通し、放出入球口に入球した遊技球を役物外の遊技領域に放出する放出路と
を備え、
前記搬送装置は、遊技球を前記抽選入球口に搬送する抽選搬送部、及び、遊技球を前記放出入球口に搬送する放出搬送部、を有するものであると共に、前記抽選搬送部または前記放出搬送部によって、前記振分ステージに到達した遊技球を同じ高さ以下の部位に搬送して前記抽選入球口または前記放出入球口の何れかに振分けるものである
ことを特徴とする遊技機。
【００３２】
上記構成の遊技機は、振分ステージの搬送装置を、より具体的な構成に限定したものであり、振分ステージに到達した遊技球の全てが、搬送装置によってその行方が振分けられるようにしたものである。すなわち、振分ステージに到達した遊技球は、全て搬送装置によって搬送されるのであるが、抽選搬送部によって搬送された場合は、抽選入球口に入球し、放出搬送部によって搬送された場合は、放出入球口に入球し、放出路を通じて役物外の遊技領域に放出される。
【００３３】
ところで、役物自体が入賞装置を構成するものである場合、役物に入球した遊技球は、入賞が確定したものとなり、遊技領域を流下中で、入賞か、或いは、入賞せずに遊技領域の下部に設けられたアウト口から遊技領域外に排出されるかが未定な生きた球、所謂「生き球」ではなく、死んだ球、所謂「死に球」となる。そして、このような死に球であれば、役物内にて動きにどのような変化を与えても、遊技球が入賞するか否かの遊技に関して、遊技の遅延を招くことはない。
【００３４】
これ対して、生き球については、遊技球の動きに意図的な変化を与える装置によって、遊技領域を流下する動きに逆らって上方へ移動させると、遊技領域を流下してアウト口に到達するまでの時間が長くなり、遊技球が入賞するか否かの遊技に関して、遊技の遅延を招く。そして、上記構成の遊技機において役物に進入した遊技球は、役物外の遊技領域に再び戻る可能性があることから生き球であり、搬送装置によって上方に移動させると、遊技の遅延を招いてしまう。
【００３５】
そこで、上記構成では、搬送装置を、抽選搬送部または放出搬送部によって、振分ステージに到達した遊技球を同じ高さ以下の部位に搬送するものとしている。これにより、遊技球を上方に無用に戻して遊技の遅延を招くことを防止している。
【００３６】
＜手段３＞
手段１または手段２に記載の遊技機であって、
前記振分ステージの前のステージとして前記役物内に設けられ、役物に進入した遊技球を、役物外の遊技領域に放出するか若しくは前記振分ステージに到達させる予備ステージを備える
ことを特徴とする遊技機。
【００３７】
上記構成の遊技機では、振分ステージの前に、遊技球を役物外の遊技領域に放出する可能性のある予備ステージを備えるため、より一層、役物に遊技球を入球し易くしても、遊技場の運営者側にとって不利益になり難くすることができる。また、役物は、予備ステージ及び振分ステージといった遊技球が挙動するステージを複数、具備するものとなるため、役物内での遊技球の挙動が複雑になり、遊技者に、役物内での遊技球の複雑な挙動を見せて楽しませることができる。
【００３８】
なお、予備ステージにおいて、役物に進入した遊技球を、役物外の遊技領域に放出するか若しくは振分ステージに到達させる手段としては、適宜態様で動作する動作体によって遊技球の行方を振分ける振分装置を用いてもよく、或いは、機械的な装置を用いずに、予備ステージ内を流下する遊技球自体の動きによって、振分ステージに到達するか、或いは、役物外に放出されるかが決定されるようにしてもよい。
【００３９】
＜手段４＞
遊技領域に遊技球を打込んで行われる遊技により所定の払出条件が成立すると遊技球を払出す遊技機であって、
前記遊技領域に設けられ、遊技領域に打込まれた遊技球が進入可能な役物と、
該役物内に設けられ、役物に進入した遊技球が入球可能な抽選入球口と、
該抽選入球口への遊技球の入球に基づいて抽選を行う抽選手段と、
該抽選手段によって行われた抽選の結果が当選であると遊技者にとって通常よりも多くの遊技球が獲得可能な特別遊技状態を発生させる特別遊技状態発生手段と、
前記抽選手段の抽選結果を表示する抽選結果表示手段と、
前記役物内に設けられ、役物に進入した遊技球が入球可能な放出入球口と、
該放出入球口に連通し、放出入球口に入球した遊技球を役物外の遊技領域に放出する放出路と、
前記役物内に設けられたステージであり、遊技球を前記抽選入球口に搬送する抽選搬送部及び遊技球を前記放出入球口に搬送する放出搬送部を有する搬送装置によって、当該ステージに到達した遊技球を、同じ高さ以下の部位に搬送して前記抽選入球口または前記放出入球口の何れかに振分ける振分ステージと、
該振分ステージの前のステージとして前記役物内に設けられ、役物に進入した遊技球を、役物外の遊技領域に放出するか若しくは前記振分ステージに到達させる予備ステージと
を備えることを特徴とする遊技機。
【００４０】
上記構成の遊技機は、前述した各手段を具備するものであり、上記構成の遊技機によれば、前述した通りの夫々の作用効果を得ることができる。
【発明の効果】
【００４１】
本発明によれば、抽選入球口に遊技球が確実に入球する安心感を与えることができ、しかも、役物に遊技球が入球し易いように設定しても遊技場の運営者側にとって不利になり難い遊技機を提供することができる。
【発明を実施するための最良の形態】
【００４２】
以下、本発明の一実施形態であるパチンコ機を、図面に基づいて詳細に説明する。ここで、以下で例示するパチンコ機は、遊技者が遊技媒体である遊技球を投入し、投入した遊技球を遊技盤の遊技領域に打ち込んで遊技を行うものであり、遊技者が遊技媒体を投入して遊技を行う遊技機の代表的なものである。なお、本発明は、以下で例示するパチンコ機に限らず、他のタイプのパチンコ機にも適用することができる。また、パチンコ機に限らず、パチスロ機や、遊技者が遊技媒体を投入して遊技を行う他の遊技機にも適用することができる。
【００４３】
［パチンコ機の全体構成について］  図１に基づき説明する。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００４４】
［本体枠の構成について］  図２及び図３に基づき説明する。
本体枠３は、前枠体１１、遊技盤装着枠１２及び機構装着体１３を合成樹脂材によって一体成形することで構成されている。本体枠３の前枠体１１は、外枠２（図１参照）の前側の下受板６を除く外郭形状に対応する大きさの矩形枠状に形成されている。そして、前枠体１１の片側の上下部には、本体枠側ヒンジ具１５が固定されており、この本体枠側ヒンジ具１５は、外枠２の片側の上下部に固定された外枠側ヒンジ具１４に対して、ヒンジピン及びヒンジ孔によって回動自在に装着されている。外枠側ヒンジ具１４、本体枠側ヒンジ具１５、ヒンジピン及びヒンジ孔によってヒンジ機構７が構成されており、外枠２は、このヒンジ機構７によって、本体枠３に対して開閉自在に装着されている。
【００４５】
前枠体１１の前側において、遊技盤装着枠１２よりも下方に位置する前枠体１１の前下部左側領域には、スピーカボックス部１６が一体に形成され、そのスピーカボックス部１６の前側開口部には、同開口部を塞ぐようにしてスピーカ装着板１７が装着されている。そして、スピーカ装着板１７には、スピーカ１８が装着されている。また、前枠体１１前面の下部領域内において、その上半部分には、発射レール１９が傾斜状に装着されている。また、前枠体１１前面の下部領域内の下半部分には、下部前面板３０が装着されている。そして、下部前面板３０の前面の略中央部には、遊技球を貯留可能な下皿３１が設けられ、右側寄りには、操作ハンドル３２が設けられ、左側寄りには、灰皿３３が設けられている。なお、下皿３１には、遊技球を下方に排出するための球排出レバー３４が設けられている。
【００４６】
［前面枠の構成について］  図１及び図２に基づき説明する。
前枠体１１の前面には、その前枠体１１の上端から下部前面板３０の上縁にわたる部分を覆うようにして、前面枠４が、片側に設けられたヒンジ機構３６によって、前方に開閉可能に装着されている。また、前面枠４の略中央部には、遊技盤５の遊技領域３７を前方から透視可能な略円形の開口窓３８が形成されている。また、前面枠４の後側には、開口窓３８よりも大きな矩形枠状をなす窓枠３９が設けられ、その窓枠３９には、ガラス板や透明樹脂板等により形成された透明板５０が装着されている。また、前面枠４の前面の略全体は、ランプ等が内設された前面装飾部材によって装飾され、同前面枠４の前面の下部には、上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。
【００４７】
さらに、前面枠４の下部における上皿５１の側方（操作ハンドル３２側とは反対側）には、操作スイッチランプ２１が内蔵された操作スイッチ２０が設けられている。この操作スイッチ２０は、遊技媒体である遊技球を遊技領域３７に打ち込んで行われる遊技の実体に関する状態や、遊技に伴って行われる演出に関する状態等、遊技機の適宜の状態を変更したり、上記演出に遊技者が参加したり、遊技機から種々の情報を享受するため等、適宜目的のために遊技者によって操作されるものであり、遊技者による意図的な手動操作によって操作される操作手段や操作部等を構成するものである。
【００４８】
なお、操作スイッチ２０としては、押動操作される押しボタン式のスイッチ、傾動操作されるシーソ式のスイッチ、回動操作されるチャンネル式のスイッチ等を代表的に例示することができる。また、本例では、操作スイッチ２０が操作ハンドル３２とは反対側に設けられていることから、遊技者は、操作ハンドル３２を一方の手で操作しつつ、他方の手で操作スイッチ２０を操作することができる。
【００４９】
そして、操作スイッチ２０に内蔵された操作スイッチランプ２１は、遊技機の状態に応じて操作スイッチ２０による操作を許容する状態または許容しない状態となる態様等において、点灯することで許容する状態或いは許容しない状態であることを、遊技者に報知するためのものである。なお、このように機能する操作スイッチランプ２１については、操作スイッチ２０に内蔵するに限らず、操作スイッチ２０とは別途に設けてもよい。操作スイッチランプ２１を操作スイッチ２０とは別途に設ける場合には、操作スイッチ２０の近傍に設けるのが好適である。何故ならば、遊技者にとって、操作スイッチランプ２１の作動状態を確認し易くすることができるからである。
【００５０】
［施錠装置の構成について］  図１及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵を挿入して解錠操作可能となるように、前枠体１１及び下部前面板３０を貫通して露出されたシリンダー錠７５と、を備えている。そして、シリンダー錠７５の鍵穴に鍵を挿入して一方向に回動操作すると、本体枠施錠フック７２と外枠２の閉止具７１との係合が外れて本体枠３が解錠される。また、これとは逆方向に鍵を回動操作すると、扉施錠フック７４と前面枠４の閉止具７３との係合が外れて前面枠４が解錠される。
【００５１】
［遊技盤装着枠及び遊技盤の構成について］  図１、図３及び図４に基づき説明する。
本体枠３の遊技盤装着枠１２は、前枠体１１の後側に設けられており、遊技盤５が前方から着脱交換可能に装着されるように構成されている。そして、遊技盤５は、遊技盤装着枠１２の前方から嵌込まれる大きさの略四角板状に形成されている。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、遊技球が上記隙間から排出されて下皿３１に案内されるように構成されている。また、遊技盤５の前面には、その案内レール７８の外側領域において、合成樹脂製の前構成部材７９が装着されている。
【００５２】
遊技盤５の後側には、遊技領域３７に設けられた各種の入賞口に入球し、入賞口によって遊技盤５の前面から後面へと排出された遊技球を、入賞球として集めて本体枠３に設けられた入賞球通路３ａへと誘導する入賞球誘導通路と、種々のボックスを装着するボックス装着部とが設けられている。ここで、本例では、上記入賞球誘導通路及び上記ボックス装着部が、双方の機能を兼ね備えたボックス装着台１１８によって構成されている。
【００５３】
また、遊技盤５の後側には、各種の入賞口に入球せず、遊技領域３７の最下部に設けられたアウト口５６０に到達し、このアウト口５６０によって遊技盤５の前面から後面へと排出された遊技球を、アウト球として本体枠３に設けられたアウト球通路３ｂへと誘導するアウト球誘導通路も設けられている。ここで、本例では、アウト球誘導通路が、遊技盤５の後面に凹設された溝と、上記ボックス装着台１１８の前面とで、上記入賞球誘導通路とは個別に区画形成されている。
【００５４】
そして、ボックス装着台１１８には、音声制御基板、ランプ制御基板等の副制御基板１１９が収納された副制御基板ボックス１３０が装着され、その副制御基板ボックス１３０の後側に重ね合わされた状態で、主制御基板１３１が収納された主制御基板ボックス１３２が装着されている。さらに、遊技盤５の後側のボックス装着台１１８に対して副制御基板ボックス１３０及び主制御基板ボックス１３２がそれぞれ装着された状態において、本体枠３の遊技盤装着枠１２の前方から遊技盤５を嵌込んで装着できるように、遊技盤５の外郭より外側にはみ出すことなく、ボックス装着台１１８、副制御基板ボックス１３０及び主制御基板ボックス１３２が配置されている。
【００５５】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１９２等が取付基板１９３に組み付けられてユニット化された発射装置ユニット１９４が装着されている。また、前枠体１１の後下部領域の略中央部には、電源基板１９５を収容する電源基板ボックス１９６が装着され、その電源基板ボックス１９６の後側に重ね合わされた状態で払出制御基板１９７を収容する払出制御基板ボックス１９８が装着されている。払出制御基板１９７は、遊技球を払い出す数を記憶するＲＡＭを備え、主制御基板１３１から送信される払出用信号に従って、遊技球を払い出す制御信号を中継用回路基板（図示しない）に送信し、中継用回路基板を介して払出用モータ１７２を作動制御するものである。
【００５６】
［後カバー体の構成について］  図４及び図５に基づき説明する。
遊技盤５後面に配置された主制御基板ボックス１３２の後端部は、本体枠３の機構装着体１３の中央部に開口された窓開口部に向けて突出している。そして、機構装着体１３の窓開口部の一側壁を構成する側壁部と他側壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【００５７】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、上下及び中間の計３箇所に、ヒンジ体２１６が一体に形成されている。各ヒンジ体２１６には、夫々、下向きのヒンジピン２１５が設けられており、各ヒンジピン２１５は、機構装着体１３の側壁部の上下及び中間の計３箇所に設けられたヒンジ体２１４のヒンジ孔に、上方から着脱可能に嵌込まれている。また、後カバー体２１０の周壁部２１３のうち、他側の壁部２１３ｂには、弾性閉止体２１７が一体に形成されている。この弾性閉止体２１７は、払出装置装着部１３５の片側壁に形成された係止孔に弾性的に係合可能な係止爪を有するものである。
【００５８】
すなわち、後カバー体２１０は、その上下及び中間のヒンジ体２１６の各ヒンジピン２１５が機構装着体１３の側壁部のヒンジ体２１４のヒンジ孔の上方からそれぞれ嵌込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、後カバー体２１０を閉じ状態とすると、この後カバー体２１０によって、遊技盤５後面の主制御基板ボックス１３２の略中間部から上端にわたる部分が覆われる。主制御基板ボックス１３２の上部には、主制御基板１３１のコネクタが露呈されており、このコネクタに配線を接続することで、主制御基板１３１を他の適宜の基板に電気的に接続するのであるが、後カバー体２１０により主制御基板ボックス１３２の上部が覆われることで、主制御基板１３１のコネクタ部分が隠蔽される。よって、後カバー体２１０を開かない限り、主制御基板１３１のコネクタから配線を取外したり、主制御基板１３１のコネクタに他の配線を接続することができない構造となっている。
【００５９】
これに対し、主制御基板ボックス１３２の略中間部から下端にわたる部分は、後カバー体２１０によって覆われることなく露出されている。そして、主制御基板ボックス１３２の下部には、主制御基板１３１上に配置された検査用コネクタ２１８が露出されている。よって、後カバー体２１０が閉じられた状態であっても、主制御基板１３１の検査用コネクタ２１８に別途の基板検査装置を接続して、基板の検査を行うことが可能となっている。
【００６０】
後カバー体２１０には、多数の放熱孔２３０、２３１、２３２、２３３が貫設されており、これら多数の放熱孔２３０、２３１、２３２、２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され、後壁部２１２の下部には多数の長円形、楕円形等の放熱孔２３２と所定数の横長四角形状の放熱孔２３３が貫設されている。
【００６１】
また、横長四角形状の放熱孔２３３は、主制御基板ボックス１３２の封印ねじ（封印部材）によって封印される複数の並列状の封印部２３５の列の大きさ及び配設位置に対応する大きさ及び位置に貫設されている。これによって、不透明な後カバー体２１０が閉じられた状態であっても、主制御基板ボックス１３２の複数の並列状の封印部２３５が放熱孔２３３の部分において視認可能に露出される。このため、後カバー体２１０が閉じられた状態であっても、主制御基板ボックス１３２の封印部２３５の封印状態を容易に視認することができる。ここで、後カバー体２１０を透明な合成樹脂材によって形成してもよいが、不透明な合成樹脂材によって形成するのが好ましい。不透明な合成樹脂材は、透明な合成樹脂材と比べ、リサイクル使用される合成樹脂材を材料として用いることが容易であるため、後カバー体２１０を透明な合成樹脂材によって形成することで、後カバー体２１０を安価に製作することができるからである。
【００６２】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【００６３】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【００６４】
［本体枠の後側下部の下皿用球誘導体等の構成について］  図２及び図６に基づき説明する。
本体枠３の後下部領域のヒンジ機構７寄り部分には、そのスピーカボックス部１６の後段差部の凹み部分において下皿用球誘導体２５３が装着されている。この下皿用球誘導体２５３は、球払出装置１７０の賞球及び貸球用球通路から上皿連絡路（図示しない）を経て上皿５１に払い出された遊技球が満杯になったときに、上皿連絡路の遊技球を下皿３１に導くためのものである。
【００６５】
なお、この実施形態において、下皿用球誘導体２５３の後壁外面には、インタフェース基板２５２を収納している基板ボックス２５４が装着されている。なお、インタフェース基板２５２は、パチンコ機１に隣接して設置される球貸機と払出制御基板１９７との間に介在され、球貸に関する信号を球貸機と払出制御基板１９７との間で送受信可能に電気的に接続するためのものである。
【００６６】
［本体枠の機構装着体、球タンク及びタンクレールの構成について］  図７及び図８に基づき説明する。
本体枠３の機構装着体１３には、タンク装着部１３３、レール装着部１３４、及び、払出装置装着部１３５等がそれぞれ形成され、タンク装着部１３３には、球タンク１３６が装着されている。球タンク１３６は、島設備から供給される多数の遊技球を貯留可能な上方に開口する箱形状に形成されている。また、球タンク１３６の底板部１３７の後側隅部には、遊技球を放出する放出口１３８が形成されており、底板部１３７は、放出口１３８に向けて下傾する傾斜面に形成されている。なお、球タンク１３６は、透明な合成樹脂材により形成されており、遊技球の貯留状態が球タンク１３６の後側壁を透して視認可能となっている。
【００６７】
本体枠３の機構装着体１３には、タンク装着部１３３の下方にレール装着部１３４が一体に形成されている。そして、レール装着部１３４には、レール構成部材１３９が装着されており、これにより、タンクレール１５０が構成されている。すなわち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図８に向かって左端）から他端（図８に向かって右端）に向けて下傾する傾斜状のレール棚１５５が形成されている。そして、レール棚１５５の横方向に延びる上向き面をレール受け部１５８としている。
【００６８】
レール装着部１３４に装着されてタンクレール１５０を構成するレール構成部材１３９は、レール装着部１３４の前壁部１５１との間にレール通路を構成する後壁部１５２と、傾斜状をなす下板部（図示しない）と、下板部の上面の前後方向中央部に沿って突設され、レール通路を前後複数列（この実施形態では前後２列）に区画する仕切り壁（図示しない）とを一体に備えて形成されている。このレール構成部材１３９は、レール装着部１３４に対し適宜の取付手段によって装着され、これによって、前後複数列のレール通路を備えたタンクレール１５０が構成される。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。また、この実施形態において、レール構成部材１３９は、透明な合成樹脂材より形成され、これによって、レール通路内の遊技球の流れ状態が、レール構成部材１３９の後壁部１５２を透して視認可能となっている。
【００６９】
タンクレール１５０（レール装着部１３４）の前壁部１５１は、遊技盤５の後側に突出する種々の部材の後部の上端部との干渉を避けるために、遊技盤５の裏面との間に適宜の間隙を確保した状態で設けられている。また、この実施形態において、本体枠３の後端部となるレール棚１５５の後端と、タンクレール１５０の後壁部１５２とは、夫々、球タンク１３６の後側壁と略同一面をなしている。言い換えると、球タンク１３６の後壁部に対しタンクレール１５０の後壁部が略同一面となる位置までタンクレール１５０が遊技盤５の後面より後方に離隔して配置されている。これによって、レール通路の前後方向の幅寸法を十分に確保しつつ、遊技盤５の裏面とタンクレール１５０の前壁部１５１との間において、十分な間隙を確保できるようにしてある。
【００７０】
また、タンクレール１５０の上方には、レール通路を流れる遊技球を上下に重なることなく整列させる整流体１５６が、レール通路の上部において軸１５７を中心として揺動可能に装着されている。この整流体１５６には、その中央部から下部において錘が設けられており、整流体１５６の自重により、レール通路を流下する遊技球が整列させられる。
【００７１】
［払出装置装着部及び球払出装置の構成について］  図７及び図８に基づき説明する。
本体枠３の機構装着体１３の片側寄り（図７及び図８で右側）の上下方向には、次に述べる球払出装置（球払出ユニット）１７０に対応する縦長の払出装置装着部１３５が形成されている。ここで、払出装置装着部１３５は、後方に開口部をもつ凹状に形成されている。また、払出装置装着部１３５の段差状をなす奥壁部（図示しない）の所定位置には、球払出装置１７０の払出用モータ１７２（図３参照）が突出可能な開口部１７３が形成されている。
【００７２】
払出装置装着部１３５の凹部に球払出装置１７０が装着された状態において、球払出装置１７０と遊技盤５との間には、上述のタンクレール１５０と遊技盤５との間隙と略同一レベルの間隙が確保されている。これによって、タンクレール１５０のレール通路と球払出装置１７０の球通路とが前後方向に略同一レベルで配置される。また、本体枠３の後端、すなわち払出装置装着部１３５の周壁部後端、レール棚１５５の後端、球タンク１３６、タンクレール１５０及び球払出装置１７０のそれぞれの後面は略同一面をなしている。
【００７３】
球払出装置１７０は、払出装置装着部１３５の凹部と略同じ大きさの縦長のボックス形状をなし、払い出しに関する各種部品が装着されることでユニット化されている。なお、球払出装置１７０は、払出装置装着部１３５の凹部の後方開口部から嵌込まれて適宜の取付手段（例えば、弾性クリップ、係止爪、ビス等の取付手段）によって装着されるようになっている。
【００７４】
また、図示しないが、球払出装置１７０は、タンクレール１５０のレール通路の出口にそれぞれ連通する流入口を有する球通路が前後複数列（例えば前後２列）に区画されて形成されている。また、その内部に形成された前後複数列の球通路の下流部が二股状に分岐されており、二股状に分岐された通路によって、賞球及び貸球用球通路と球抜き用球通路とが構成されている。そして、賞球及び貸球用球通路と球抜き用球通路との分岐部には、遊技球をいずれかの通路に振り分けて払い出すための回転体よりなる払出部材（図示しない）が正逆回転可能に配設されている。
【００７５】
［遊技領域の構成について］  図９に基づき説明する。
なお、以下では、上下左右等の方向について、遊技者が遊技盤５の前面を正面から見た状態として説明する。
【００７６】
遊技盤５の盤面上には、合成樹脂により形成され盤面フレーム５００が一体化されており、この盤面フレーム５００の内側と、案内レール７８の内レール７７の内側とで略円形状に区画形成された遊技領域３７が設けられている。この遊技盤５では、遊技領域３７の左側に配設された案内レール７８の上端部分の打込口７８ａから遊技領域３７内に遊技球が打ち込まれ、遊技領域３７内に打ち込まれた遊技球の挙動によって遊技が行われる。
【００７７】
遊技領域３７には、遊技盤５に打設された多数の障害釘（図示省略）が所定のゲージ配列で配設されている。また、遊技領域３７の左右方向のほぼ中央位置には、役物６００が配設されており、この役物６００によって、パチンコ機１の機種やゲームコンセプト等が特徴付けられている。
【００７８】
役物６００の下方には、遊技球の入球に応じて所定個数の遊技球の払出しを行う入賞口の一種である特別入賞口５１０が設けられている。そして、この特別入賞口５１０は、遊技球が入球不能な状態と入球可能な状態とで変動するように、または、遊技球が入球し難い状態と入球し易い状態とで変動するように、構成されている。具体的に、特別入賞口５１０は、開閉駆動される開閉部材５１１を備えており、開閉部材５１１が閉じた状態では、遊技球が入球不能または入球し難い状態になるが、開閉部材５１１が開いた状態になると、遊技球が入球可能または入球し易い状態となる。
【００７９】
なお、本例では、開閉部材５１１が閉じると遊技球が入球不能な状態になり、開閉部材５１１が開くと遊技球が入球可能な状態になる特別入賞口５１０を採用している。また、ソレノイド等の駆動装置によって前後方向に開閉駆動し、開駆動すると、複数の遊技球が同時に入球可能なように左右方向に大きな開放口を形成する開閉部材５１１、を備えた特別入賞口５１０を採用している。
【００８０】
その他、遊技領域３７には、適宜の部位に、常時、遊技球が入球可能となっており、遊技球の入球に応じて所定個数の遊技球の払出しを行う一般入賞口５２０が設けられている。また、遊技領域３７の最下部には、入賞口への入球を果たせなかった遊技球を遊技盤５の後面側のアウト球誘導路へと排出するアウト口５６０が設けられている。
【００８１】
［役物の構成について］  図９〜図１４に基づき説明する。
役物６００の上部には、遊技球が入球可能な入球口６１０が設けられており、遊技領域３７に打込まれた遊技球は、この入球口６１０を通じて役物６００内に進入可能となっている。また、本例においては、詳細は後述する予備ステージ７００の上部及び左右両側部が、役物６００を構成する筐体によって、遊技盤５の盤面上の遊技領域３７と区画されているのであるが、予備ステージ７００の下部については、遊技盤５の盤面上に開放されており、遊技領域３７を流下する遊技球が予備ステージ７００の下方から役物６００内に飛込むことを許容している。よって、本例の役物６００では、入球口６１０だけでなく、盤面上に開放された予備ステージ７００下部の開放空間からも、役物６００内に遊技球が進入可能に構成されている。
【００８２】
役物６００は、夫々、遊技球の挙動を遊技者に見せて楽しませることができる予備ステージ７００及び振分ステージ８００の二つのステージを具備するものとして構成されている。
【００８３】
予備ステージ７００は、入球口６１０から入球した遊技球が滑降するスロープ部７１０と、このスロープ部７１０から滑降してきた遊技球が周回して、やがて中央に穿設された貫通孔から落下するクルーン部７２０と、上側が凸となる円弧状に形成されると共にクルーン部７２０の貫通孔の真下に配置され、クルーン部７２０から落下してきた遊技球の移動方向を左右に分岐させる分岐部７３０と、上側が凹となる円弧状に形成されると共に分岐部７３０の下方に配置され、分岐部７３０の左右から落下してきた遊技球がその上面で左右に往復動しながら転動する転動部７４０とを具備するものとして構成されている。
【００８４】
また、役物６００内においては、手前側に予備ステージ７００が配設され、奥側に振分ステージ８００が配設されているのであるが、予備ステージ７００と振分ステージ８００との間は、透明な区画板７５０によって区画されている。そして、区画板７５０には、転動部７４０の左右方向における中央の位置に、遊技球が通過可能な開口部７５１が設けられている。また、転動部７４０は、上面が、左右方向の中央部を除いて、奥側の区画板７５０に向かって下方に傾斜している。さらに、転動部７４０上面の左右方向における中央部には、手前側に向かって下方に傾斜する放出凹部７４１が設けられている。
【００８５】
振分ステージ８００は、区画板７５０の奧に設けられており、この振分ステージ８００には、搬送装置８１０が組込まれている。次に、搬送装置８１０の詳細を説明する。
【００８６】
図１３及び図１４に示すように、搬送装置８１０は、基台８１１と、この基台８１１上に回転自在に支持された回転体８４０とを備えており、回転体８４０は、モータ等によって構成された回転駆動装置８４０Ｋによって、常時、一定速度で水平面上を一定方向（本例では、図１３において、点Ｏを中心に左回転方向）に回転駆動される。また、搬送装置８１０の基台８１１には、夫々、遊技球が入球可能な抽選入球口８２０及び放出入球口８３０が設けられており、抽選入球口８２０に入球した遊技球は、入賞球として処理されるのであるが、放出入球口８３０に入球した遊技球は、役物６００外の遊技領域３７に放出される。具体的に、役物６００の内部には、一端側が放出入球口８３０に連通し、他端側が、予備ステージ７００及び振分ステージ８００よりも下方において役物６００の前面に開口すると共に遊技盤５の盤面上に開放された放出路６２０が形成されており、放出入球口８３０に入球した遊技球は、放出路６３０を通じて、役物６００の下部から遊技領域３７に放出される。
【００８７】
また、抽選入球口８２０には、遊技球の入球を検知する抽選入球口センサ８２０Ｓが設けられており、抽選入球口８２０への遊技球の入球に基づいて、特別遊技状態を発生させるか否かに関する抽選が行われる。なお、特別遊技状態や抽選の詳細については、後述することとする。
【００８８】
ところで、本例においては、搬送装置８１０の基台８１１に抽選入球口８２０及び放出入球口８３０を設けることで、振分ステージ８００が抽選入球口８２０及び放出入球口８３０を具備するものとして構成してあるが、これに限らず、振分ステージ８００の側面や底面を構成する部材等、搬送装置８１０とは別途の部材によって、抽選入球口８２０及び放出入球口８３０が形成されるようにしてもよい。
【００８９】
搬送装置８１０の回転体８４０には、抽選入球口８２０に遊技球を搬送する一つの抽選搬送部８４１と、放出入球口８３０に遊技球を搬送する二つの放出搬送部８４２とが設けられている。ここで、抽選搬送部８４１及び放出搬送部８４２は、夫々、回転体８４０の周面に凹設された形態となっており、回転体８４０の側方から遊技球を受入れることができるように構成されている。また、抽選搬送部８４１及び放出搬送部８４２の夫々の底部は、受入れた遊技球を下方に放出することができるように開放されている。よって、振分ステージ８００に到達して抽選搬送部８４１または放出搬送部８４２に受入れられた遊技球は、回転体８４０の回転い伴って、抽選搬送部８４１または放出搬送部８４２に拘束されつつ搬送装置８１０の基台８１１の上面を移動して、抽選入球口８２０または放出入球口８３０に到達すると、抽選入球口８２０または放出入球口８３０に落下する。
【００９０】
ところで、抽選搬送部８４１は、回転体８４１の径方向に浅い凹部となっているのに対して、放出搬送部８４２は、回転体８４１の径方向に深い凹部となっている。そして、抽選入球口８２０は、抽選搬送部８４１の奥に対応する位置に設けられ、放出入球口８３０は、放出搬送部８４２の奥に対応する位置に設けられている。よって、図１４に示すように、抽選入球口８２０の上方に抽選搬送部８４１が位置すると、抽選搬送部８４１から抽選入球口８２０へと遊技球が落下可能となり、放出入球口８３０の上方に放出搬送部８４２が位置すると、放出搬送部８４２から放出入球口８３０へと遊技球が落下可能なるのであるが、抽選入球口８２０の上方に放出搬送部８４２が位置しても、放出搬送部８４２から抽選入球口８２０へとは遊技球が落下せず、放出入球口８３０の上方に抽選搬送部８４１が位置しても、抽選搬送部８４１から放出入球口８３０へとは遊技球が落下しない。
【００９１】
また、深い凹部となっている放出搬送部８４２の両側壁の下部には、夫々ガイド部８４３が突設されており、各ガイド部８４３の上面は、回転体８４１の周面に開口する放出搬送部８４２の入口から奥に向かって下方に傾斜している。このガイド部８４３によって、回転体８４１の側方から放出搬送部８４２に入った遊技球は、放出搬送部８４２の入口付近に停留せず、ガイド部８４３の上面を転がり降りて、放出搬送部８４２の奥に進む。なお、放出搬送部８４２の両側壁に設けられた各ガイド部８４３間の寸法は、遊技球よりも狭く設定されており、遊技球がガイド部８４３上を位置する状態で放出搬送部８４２が抽選入球口８２０の真上を通過しても、放出搬送部８４２から抽選入球口８２０へと遊技球が落下することはない。
【００９２】
次に、役物６００内における遊技球の挙動について説明する。役物６００上部の入球口６１０から役物６００内に遊技球が進入すると、遊技球は、まず、予備ステージ７００内を転動する。具体的に、遊技球は、まず、スロープ部７１０を滑降し、スロープ部７１０によって勢い付けられた遊技球は、次に、クルーン部７２０にて、中央の貫通孔周りを周回した後、貫通孔から落下する。ここで、遊技球がクルーン部７２０で周回する回数は、遊技球の勢いに応じて変化するため、クルーン部７２０から落下するタイミングは不規則的となる。
【００９３】
クルーン部７２０から落下した遊技球は、分岐部７３０に当ることで左右に不規則的に移動方向を変えて、転動部７４０の左側または右側に落下して、その勢いで、転動部７４０上を左右に往復動する。ここで、転倒部７４０の上面は奥側に向かって下方に傾斜しているため、遊技球は、奥の区画板７５０方向に付勢されつつ転動部７４０上を往復動する。このとき、遊技球は、区画板７５０の開口部７５１を通じて、区画板７５０奥の振分ステージ８００に進入可能なのであるが、区画板７５０の開口部７５１は、振分ステージ８００の回転体８４０の周面によって閉塞されるため、区画板７５０の開口部７５１に回転体８４０の抽選搬送部８４１または放出搬送部８４２が臨むタイミングと、遊技球が転動部７４０上を往復動して区画板７５０の開口部７５１を通過するタイミングとが合致しないと、遊技球は開口部７５１を通過できず、予備ステージ７００から次の振分ステージ８００へと進むことができない。そして、遊技球の勢いが弱まって転動部７４０上を往復動する振幅が小さくなると、遊技球は、手前に向かって下方に傾斜する転動部７４０の放出凹部７４１から落下する。すなわち、遊技球は、予備ステージ７００から役物６００外の遊技領域３７に放出される。
【００９４】
なお、本例では、予備ステージ７００の下部が開放されており、遊技球が、役物６００上部の入球口６１０からだけでなく、予備ステージ７００の下方からも役物６００内に進入可能であるが、予備ステージ７００の下方から進入した遊技球は、転動部７４０上を往復動して、次の振分ステージ８００へと進むか、或いは、転動部７４０の放出凹部７４１から遊技領域３７に放出される。
【００９５】
区画板７５０の開口部７５１を通じて振分ステージ８００に到達した遊技球は、回転体８４０の抽選搬送部８４１に受入れられた遊技球か、または、回転体８４０の放出搬送部８４２に受入れられた遊技球の何れかである。回転体８４０の抽選搬送部８４１に受入れられた遊技球は、回転体８４０の回転に伴って搬送され、抽選入球口８２０に落下して、入賞球として処理される。一方、回転体８４０の放出搬送部８４２に受入れられた遊技球は、回転体８４０の回転に伴って搬送され、放出入球口８３０に落下して、放出路６３０を通じて、役物６００外の遊技領域３７に放出される。ここで、回転体８４０は、水平面上を回転するものであり、搬送する遊技球を上方へは移動させない。よって、搬送装置８１０によって、遊技球の動きに意図的に変化を与えても、遊技球が入賞するか否かの遊技について、無用な遅延を招くことがない。
【００９６】
［抽選について］  次に、抽選について説明する。
役物６００（振分ステージ８００）の抽選入球口８２０に遊技球が入球すると、当選であるか落選であるかの抽選が行われる。ここで、本例では、コンピュータを用いて構成された主制御基板１３１にて所定のプログラムを実行することで上記抽選を行うこととしてあり、このような抽選の手段を、コンピュータを用いた電気的抽選手段として捉えることができる。また、本例での電気的抽選手段は、具体的に、抽選入球口８２０に遊技球が入球して抽選入球口センサ８２０Ｓから入球の検知信号が主制御基板１３１に入力されると、一定の時間間隔（例えば２ｍｓ）の定時割込み処理にて所定の制御プログラムを実行している主制御基板１３１において、入球の検知信号を受取ったタイミングに応じて乱数を取得し、この取得した乱数の値によって抽選の結果を判定する。なお、このような抽選は、抽選入球口８２０への遊技球の入球に基づいて行う抽選として捉えることができ、本例では、主制御基板１３１にて実行されるプログラム処理が、抽選入球口８２０への遊技球の入球に基づいて抽選を行う抽選抽選手段として機能する。
【００９７】
また、本例では、７セグメント表示装置やドットマトリックス表示装置等の画像や映像に比べて単純な図柄を表示する表示装置を用いて構成され、主制御基板１３１によって駆動が制御される特別図柄表示装置６２０（図９、図１０、図１２を参照）が役物６００に組込まれており、この特別図柄表示装置６２０を抽選結果表示手段として抽選結果を表示する。例えば、特別図柄表示装置６２０を、「０」〜「９」の数字を表示するものとして、表示された数字が「７」であれば、抽選結果が当選であり、「７」以外の数字であれば、抽選結果が落選であるとして、図柄によって抽選結果を明示する。
【００９８】
［特別遊技状態について］  次に、特別遊技状態について説明する。
本例のパチンコ機１では、抽選結果が当選になると、抽選入球口８２０に遊技球を入球させて抽選を受けることを主な目的とした通常の遊技状態（以下「通常遊技状態」という）よりも多くの遊技球を獲得することが可能な特別な遊技状態（以下「特別遊技状態」という）が発生する。
【００９９】
具体的に、特別遊技状態が発生すると、特別入賞口５１０の開閉部材５１１が開駆動され、これにより、通常遊技状態では閉鎖されている特別入賞口５１０が開放されて、特別入賞口５１０に遊技球が入球可能となる。そして、特別入賞口５１０の開放は、所定の上限時間が経過するか、或いは、遊技球の入球が所定の上限個数に達するかの何れか一方の条件を満たすといったように、所定条件の成立によって終了する。また、このような特別入賞口５１０の１回の開放動作を１ラウンドとして、ラウンド数が所定の上限ラウンド数に達するまで、特別入賞口５１０の開放が繰り返される。そして、特別入賞口５１０の開閉部材５１１の開閉駆動は、主制御基板１３１でのプログラム処理によって制御される。よって、本例では、主制御基板１３１にて実行されるプログラム処理が、特別遊技状態を発生させる特別遊技状態発生手段として機能する。
【０１００】
以上詳細に説明した本例のパチンコ機１は、以下のような効果を奏する。
【０１０１】
振分ステージ８００の回転体８４０の抽選搬送部８４１に受入れられた遊技球は、抽選入球口８２０に入球することが確定するため、回転体８４１の抽選搬送部８４１に入ったことを遊技者に見せることで、遊技者に、遊技球の行方に不安を覚えさせず、安心させることができる。また、遊技球が抽選搬送部８４１によって抽選入球口８２０へと搬送されている様子を見せることで、遊技者に、これから抽選が行われることへの心構えをさせることができると共に、抽選が行われることに対する期待感を高めさせることができる。
【０１０２】
振分ステージ８００にて遊技球が抽選入球口８２０に入ると入賞となり、所定個数の遊技球の払出しが行われるが、遊技球が放出入球口８３０に入ると入賞とはならず、遊技球は遊技領域３７に放出されるため、全ての入球が入賞となる役物に比して、遊技球が役物６００に頻繁に進入するように設定しても、遊技場の運営者側にとっては大きな不利益とならない。よって、運営者は、役物６００に遊技球が頻繁に進入するように設定することができ、このように設定した場合、遊技者は、役物６００内に進入して挙動する遊技球の動きを頻繁に見て楽しむことができる。特に、本例では、遊技球を振分ステージ８００に到達させるか或いは遊技領域３７に放出する予備ステージ７００を備えるため、その分、遊技球が役物６００に、より頻繁に進入するように設定することができ、遊技者に、役物６００内に進入して挙動する遊技球の動きを、より頻繁に見せて楽しませることができる。
【０１０３】
役物６００内では、遊技球が重力に従って流下する動きに逆らう方向、具体的には上方向に、機械的な装置によって意図的に遊技球を移動させないため、「生き球を高い位置に無用に戻すことで遊技が遅延する」といった問題を生じさせない。
【０１０４】
予備ステージ７００には、スロープ部７１０、クルーン部７２０、分岐部７３０や転動部７４０といったような、遊技球が単に落下する状態に比して、遊技球の動きに多様な変化を与えることのできる挙動変化付与手段が設けられており、予備ステージ７００においては、振分ステージ７００に到達するまでに、遊技球の動きが多様に変化する。よって、遊技球が役物６００に進入して振分ステージ８００に到達するまでに、遊技球の動きが予備ステージ７００で多様に変化する様子を遊技者に見せて、楽しませることができる。
【０１０５】
振分ステージ８００の搬送装置８１０は、常時、一定の動作パターンで動作する動作体（本例では回転体８４０）を具備して、振分ステージ８００に到達した遊技球の行方を抽選入球口８２０か遊技領域３７かに振分けるものであるため、遊技者の万人に、抽選を受ける機会を平等に与えることができる。
【０１０６】
なお、一定の動作パターンで動作する動作体としては、一方向に回転する回転体に限らず、左右方向、上下方向または上下左右の斜め方向に往復動を繰返すもの、左右方向、上下方向または上下左右の斜め方向に回動すると共に正転及び逆転を繰返すもの等であってもよい。また、動作体の動作パターンは適宜設定することができるが、少なくとも遊技領域に放出するために遊技球を搬送する場合には、同じ高さ以下の部位に遊技球を搬送するような動作パターンを採用することが、遊技の遅延を招くことを防止できる点で、好適である。
【図面の簡単な説明】
【０１０７】
【図１】パチンコ機の外枠の一側に本体枠が開かれ、その本体枠の一側に前面枠が開かれた状態を正面側から見た斜視図である。
【図２】パチンコ機の正面図である。
【図３】パチンコ機の本体枠と遊技盤とを分離した状態を正面側から見た斜視図である。
【図４】パチンコ機の背面図である。
【図５】パチンコ機を背面側から見た斜視図である。
【図６】パチンコ機の後ろカバー及び各種制御基板等を取り外した状態を背面側から見た斜視図である。
【図７】パチンコ機の本体枠に各種部材が組み付けられた状態を背面側から見た斜視図である。
【図８】本体枠を背面側から見た斜視図である。
【図９】遊技盤の正面図である。
【図１０】役物を正面から見た斜視図である。
【図１１】役物の一部の部材を省略して役物を背面から見た斜視図である。
【図１２】役物の中央縦断面図である。
【図１３】搬送装置の平面図である。
【図１４】図１３におけるＡ−Ａ断面図である。
【符号の説明】
【０１０８】
１  パチンコ機
３７  遊技領域
１３１  主制御基板（抽選手段、特別遊技状態発生手段）
６００  役物
６１０  入球口
６２０  特別図柄表示装置（抽選結果表示手段）
６３０  放出路
７００  予備ステージ
７１０  スロープ部
７２０  クルーン部
７３０  分岐部
７４０  転動部
７４１  放出凹部
８００  振分ステージ
８１０  搬送装置
８２０  抽選入球口
８３０  放出入球口
８４０  回転体
８４１  抽選搬送部
８４２  放出搬送部
８４３  ガイド部
【図１】
0005834278.tif 000002
【図２】
0005834278.tif 000003
【図３】
0005834278.tif 000004
【図４】
0005834278.tif 000005
【図５】
0005834278.tif 000006
【図６】
0005834278.tif 000007
【図７】
0005834278.tif 000008
【図８】
0005834278.tif 000009
【図９】
0005834278.tif 000010
【図１０】
0005834278.tif 000011
【図１１】
0005834278.tif 000012
【図１２】
0005834278.tif 000013
【図１３】
0005834278.tif 000014
【図１４】
0005834278.tif 000015